(57)【要約】【課題】感度を高めつつ、高解像度化を実現する。【解決手段】画素アレイ部には、第１の光電変換部により、第１の色成分の光の光電変換を行い、第２の光電変換部により、第２の色成分の光を透過させる第１のカラーフィルタ及び第１の光電変換部を透過した第３の色成分の光の光電変換を行う第１の画素と、第１の光電変換部により、第１の色成分の光の光電変換を行い、第２の光電変換部により、第４の色成分の光を透過させる第２のカラーフィルタ及び第１の光電変換部を透過した第５の色成分の光の光電変換を行う第２の画素と、第１の光電変換部により、第１の色成分の光の光電変換を行い、第２の光電変換部により、第１の光電変換部を透過した第６の色成分の光の光電変換を行う第３の画素との組み合わせからなる複数の画素が２次元状に配列されており、第１の色成分と第６の色成分とを混合することで白（Ｗ）が得られる。【選択図】図２
2016134587.tif 000002
【特許請求の範囲】
【請求項１】
第１の色成分の光を吸収して信号電荷を生成する第１の光電変換部と、
入射光の光量に応じた信号電荷を生成するフォトダイオードからなる第２の光電変換部と
を有する複数の画素が２次元状に配列された画素アレイ部を備え、
前記画素アレイ部は、
前記第１の光電変換部により、前記第１の色成分の光の光電変換を行い、
前記第２の光電変換部により、第２の色成分の光を透過させる第１のカラーフィルタ及び前記第１の光電変換部を透過した第３の色成分の光の光電変換を行う
第１の画素と、
前記第１の光電変換部により、前記第１の色成分の光の光電変換を行い、
前記第２の光電変換部により、第４の色成分の光を透過させる第２のカラーフィルタ及び前記第１の光電変換部を透過した第５の色成分の光の光電変換を行う
第２の画素と、
前記第１の光電変換部により、前記第１の色成分の光の光電変換を行い、
前記第２の光電変換部により、前記第１の光電変換部を透過した第６の色成分の光の光電変換を行う
第３の画素と
の組み合わせからなる前記複数の画素が２次元状に配列されており、
前記第１の色成分と前記第６の色成分とを混合することで白（Ｗ）が得られる
固体撮像装置。
【請求項２】
前記第１のカラーフィルタ及び前記第２のカラーフィルタは、光が入射する側に対して、前記第１の光電変換部の下側に配置されており、
前記第１の色成分は、緑（Ｇ）であり、
前記第２の色成分は、赤（Ｒ）であり、
前記第３の色成分は、赤（Ｒ）であり、
前記第４の色成分は、青（Ｂ）であり、
前記第５の色成分は、青（Ｂ）であり、
前記第６の色成分は、マゼンタ（Ｍｇ）である
請求項１に記載の固体撮像装置。
【請求項３】
前記画素アレイ部において、
前記複数の画素は、２×２画素を繰り返し単位として配置され、
前記２×２画素には、前記第１の画素と前記第２の画素とが対角に配置されるとともに、残った対角に、前記第３の画素がそれぞれ配置される
請求項２に記載の固体撮像装置。
【請求項４】
前記フォトダイオードは、埋め込み型のフォトダイオードとして形成され、
前記フォトダイオードに対して、配線層側に、制御用の画素トランジスタが形成される
請求項２に記載の固体撮像装置。
【請求項５】
前記第３の画素は、前記第１の光電変換部により生成された信号電荷を取り出す透明電極が分離された構造からなる位相差検出用の画素として構成される
請求項２に記載の固体撮像装置。
【請求項６】
前記第１の光電変換部及び前記第２の光電変換部を含むセンサ回路を有する第１の半導体基板と、
ロジック回路を有する第２の半導体基板と、
メモリ回路を有する第３の半導体基板と
が前記第１の半導体基板を最上層として、前記第２の半導体基板、前記第３の半導体基板の順に３層に積層されている
請求項２に記載の固体撮像装置。
【請求項７】
前記第１のカラーフィルタ及び前記第２のカラーフィルタは、光が入射する側に対して、前記第１の光電変換部の上側に配置されており、
前記第１の色成分は、緑（Ｇ）であり、
前記第２の色成分は、イエロー（Ｙｅ）であり、
前記第３の色成分は、赤（Ｒ）であり、
前記第４の色成分は、シアン（Ｃｙ）であり、
前記第５の色成分は、青（Ｂ）であり、
前記第６の色成分は、マゼンタ（Ｍｇ）である
請求項１に記載の固体撮像装置。
【請求項８】
前記画素アレイ部において、
前記複数の画素は、２×２画素を繰り返し単位として配置され、
前記２×２画素には、前記第１の画素と前記第２の画素とが対角に配置されるとともに、残った対角に、前記第３の画素がそれぞれ配置される
請求項７に記載の固体撮像装置。
【請求項９】
前記フォトダイオードは、埋め込み型のフォトダイオードとして形成され、
前記フォトダイオードに対して、配線層側に、制御用の画素トランジスタが形成される
請求項７に記載の固体撮像装置。
【請求項１０】
前記第３の画素は、前記第１の光電変換部により生成された信号電荷を取り出す透明電極が分離された構造からなる位相差検出用の画素として構成される
請求項７に記載の固体撮像装置。
【請求項１１】
前記第１の光電変換部及び前記第２の光電変換部を含むセンサ回路を有する第１の半導体基板と、
ロジック回路を有する第２の半導体基板と、
メモリ回路を有する第３の半導体基板と
が前記第１の半導体基板を最上層として、前記第２の半導体基板、前記第３の半導体基板の順に３層に積層されている
請求項７に記載の固体撮像装置。
【請求項１２】
第１の色成分の光を吸収して信号電荷を生成する第１の光電変換部と、
入射光の光量に応じた信号電荷を生成するフォトダイオードからなる第２の光電変換部と
を有する複数の画素が２次元状に配列された画素アレイ部を有し、
前記画素アレイ部は、
前記第１の光電変換部により、前記第１の色成分の光の光電変換を行い、
前記第２の光電変換部により、第２の色成分の光を透過させる第１のカラーフィルタ及び前記第１の光電変換部を透過した第３の色成分の光の光電変換を行う
第１の画素と、
前記第１の光電変換部により、前記第１の色成分の光の光電変換を行い、
前記第２の光電変換部により、第４の色成分の光を透過させる第２のカラーフィルタ及び前記第１の光電変換部を透過した第５の色成分の光の光電変換を行う
第２の画素と、
前記第１の光電変換部により、前記第１の色成分の光の光電変換を行い、
前記第２の光電変換部により、前記第１の光電変換部を透過した第６の色成分の光の光電変換を行う
第３の画素と
の組み合わせからなる前記複数の画素が２次元状に配列されており、
前記第１の色成分と前記第６の色成分とを混合することで白（Ｗ）が得られる
固体撮像装置を備える
電子機器。
【発明の詳細な説明】
【技術分野】
【０００１】
本技術は、固体撮像装置、及び、電子機器に関し、特に、感度を高めつつ、高解像度化を実現することができるようにした固体撮像装置、及び、電子機器に関する。
【背景技術】
【０００２】
従来、CMOS（Complementary Metal Oxide Semiconductor）イメージセンサ等の固体撮像装置において、高解像度化を図る場合には、画素の微細化で対応するのが一般的であるが、画素特性や感度の劣化が生じてしまう。そのため、固体撮像装置において、高解像度化を図るための構造として、有機光電変換膜を、フォトダイオードを有するシリコン基板に積層させる技術が提案されている（例えば、特許文献１参照）。
【先行技術文献】
【特許文献】
【０００３】
【特許文献１】特開２００７−３１１５５０号公報
【発明の概要】
【発明が解決しようとする課題】
【０００４】
しかしながら、特許文献１に開示されている構造であると、感度向上のための画素が設けられていないため、感度を高めつつ、高解像度化を実現することが困難であった。
【０００５】
本技術はこのような状況に鑑みてなされたものであり、感度を高めつつ、高解像度化を実現することができるようにするものである。
【課題を解決するための手段】
【０００６】
本技術の第１の側面の固体撮像装置は、第１の色成分の光を吸収して信号電荷を生成する第１の光電変換部と、入射光の光量に応じた信号電荷を生成するフォトダイオードからなる第２の光電変換部とを有する複数の画素が２次元状に配列された画素アレイ部を備え、前記画素アレイ部は、前記第１の光電変換部により、前記第１の色成分の光の光電変換を行い、前記第２の光電変換部により、第２の色成分の光を透過させる第１のカラーフィルタ及び前記第１の光電変換部を透過した第３の色成分の光の光電変換を行う第１の画素と、前記第１の光電変換部により、前記第１の色成分の光の光電変換を行い、前記第２の光電変換部により、第４の色成分の光を透過させる第２のカラーフィルタ及び前記第１の光電変換部を透過した第５の色成分の光の光電変換を行う第２の画素と、前記第１の光電変換部により、前記第１の色成分の光の光電変換を行い、前記第２の光電変換部により、前記第１の光電変換部を透過した第６の色成分の光の光電変換を行う第３の画素との組み合わせからなる前記複数の画素が２次元状に配列されており、前記第１の色成分と前記第６の色成分とを混合することで白（Ｗ）が得られる固体撮像装置である。
【０００７】
本技術の第２の側面の電子機器は、第１の色成分の光を吸収して信号電荷を生成する第１の光電変換部と、入射光の光量に応じた信号電荷を生成するフォトダイオードからなる第２の光電変換部とを有する複数の画素が２次元状に配列された画素アレイ部を有し、前記画素アレイ部は、前記第１の光電変換部により、前記第１の色成分の光の光電変換を行い、前記第２の光電変換部により、第２の色成分の光を透過させる第１のカラーフィルタ及び前記第１の光電変換部を透過した第３の色成分の光の光電変換を行う第１の画素と、前記第１の光電変換部により、前記第１の色成分の光の光電変換を行い、前記第２の光電変換部により、第４の色成分の光を透過させる第２のカラーフィルタ及び前記第１の光電変換部を透過した第５の色成分の光の光電変換を行う第２の画素と、前記第１の光電変換部により、前記第１の色成分の光の光電変換を行い、前記第２の光電変換部により、前記第１の光電変換部を透過した第６の色成分の光の光電変換を行う第３の画素との組み合わせからなる前記複数の画素が２次元状に配列されており、前記第１の色成分と前記第６の色成分とを混合することで白（Ｗ）が得られる固体撮像装置を備える電子機器である。
【０００８】
本技術の第１の側面及び第２の側面においては、第１の光電変換部により、第１の色成分の光の光電変換を行い、第２の光電変換部により、第２の色成分の光を透過させる第１のカラーフィルタ及び第１の光電変換部を透過した第３の色成分の光の光電変換を行う第１の画素と、第１の光電変換部により、第１の色成分の光の光電変換を行い、第２の光電変換部により、第４の色成分の光を透過させる第２のカラーフィルタ及び第１の光電変換部を透過した第５の色成分の光の光電変換を行う第２の画素と、第１の光電変換部により、第１の色成分の光の光電変換を行い、第２の光電変換部により、第１の光電変換部を透過した第６の色成分の光の光電変換を行う第３の画素との組み合わせからなる複数の画素が２次元状に配列された画素アレイ部において、第１の色成分と第６の色成分とを混合することで白（Ｗ）が得られる。
【発明の効果】
【０００９】
本技術の第１の側面及び第２の側面によれば、感度を高めつつ、高解像度化を実現することができる。
【００１０】
なお、ここに記載された効果は必ずしも限定されるものではなく、本開示中に記載されたいずれかの効果であってもよい。
【図面の簡単な説明】
【００１１】
【図１】固体撮像装置の構成例を示す図である。
【図２】Ｇ有機光電変換膜とＲ，Ｇカラーフィルタが配置された画素の構造を示す断面図である。
【図３】各画素に配置されるＧ有機光電変換膜とＲ，Ｇカラーフィルタとの関係を示す図である。
【図４】Ｇ有機光電変換膜とＹｅ，Ｃｙカラーフィルタが配置された画素の構造を示す断面図である。
【図５】各画素に配置されるＧ有機光電変換膜とＹｅ，Ｃｙカラーフィルタとの関係を示す図である。
【図６】透明電極が分離された画素の構造を示す断面図である。
【図７】半導体基板を積層させた場合における画素の構造を示す断面図である。
【図８】固体撮像装置を有するカメラモジュールの構成例を示す図である。
【図９】固体撮像装置を有する電子機器の構成例を示す図である。
【図１０】固体撮像装置の使用例を示す図である。
【発明を実施するための形態】
【００１２】
以下、図面を参照しながら本技術の実施の形態について説明する。なお、説明は以下の順序で行うものとする。
【００１３】
１．固体撮像装置の構成
２．第１の実施の形態：基本構造１（Ｇ有機光電変換膜＋Ｒ，Ｇカラーフィルタ）
３．第２の実施の形態：基本構造２（Ｇ有機光電変換膜＋Ｙｅ，Ｃｙカラーフィルタ）
４．第３の実施の形態：埋め込みフォトダイオード構造
５．第４の実施の形態：透明電極分離構造
６．第５の実施の形態：半導体基板積層構造
７．カメラモジュールの構成
８．電子機器の構成
９．固体撮像装置の使用例
【００１４】
＜１．固体撮像装置の構成＞
【００１５】
（固体撮像装置の構成）
図１は、固体撮像装置の構成例を示す図である。
【００１６】
図１の固体撮像装置１０は、例えば、CMOSイメージセンサ等のイメージセンサである。固体撮像装置１０は、光学レンズ系（不図示）を介して被写体からの入射光（像光）を取り込んで、撮像面上に結像された入射光の光量を画素単位で電気信号に変換して画素信号として出力する。
【００１７】
図１において、固体撮像装置１０は、画素アレイ部２１、垂直駆動回路２２、カラム信号処理回路２３、水平駆動回路２４、出力回路２５、制御回路２６、及び、入出力端子２７を含んで構成される。
【００１８】
画素アレイ部２１には、複数の画素３１が２次元状に配列される。画素３１は、光電変換素子としてのフォトダイオードと、複数の画素トランジスタを有して構成される。
【００１９】
垂直駆動回路２２は、例えばシフトレジスタによって構成され、所定の画素駆動配線４１を選択して、選択された画素駆動配線４１に画素３１を駆動するためのパルスを供給し、行単位で画素３１を駆動する。すなわち、垂直駆動回路２２は、画素アレイ部２１の各画素３１を行単位で順次垂直方向に選択走査し、各画素３１のフォトダイオードにおいて受光量に応じて生成された信号電荷に基づく画素信号を、垂直信号線４２を通してカラム信号処理回路２３に供給する。
【００２０】
カラム信号処理回路２３は、画素３１の列ごとに配置されており、１行分の画素３１から出力される信号を画素列ごとにノイズ除去などの信号処理を行う。例えば、カラム信号処理回路２３は、画素固有の固定パターンノイズを除去するためのCDS（Correlated Double Sampling：相関二重サンプリング）及びA/D（Analog/Digital）変換等の信号処理を行う。
【００２１】
水平駆動回路２４は、例えばシフトレジスタによって構成され、水平走査パルスを順次出力することによって、カラム信号処理回路２３の各々を順番に選択し、カラム信号処理回路２３の各々から画素信号を水平信号線４３に出力させる。
【００２２】
出力回路２５は、カラム信号処理回路２３の各々から水平信号線４３を通して順次に供給される信号に対し、信号処理を行って出力する。なお、出力回路２５は、例えば、バッファリングだけする場合もあるし、黒レベル調整、列ばらつき補正、各種デジタル信号処理などが行われる場合もある。
【００２３】
制御回路２６は、固体撮像装置１０の各部の動作を制御する。例えば、制御回路２６は、入力クロック信号と、動作モードなどを指令するデータを受け取り、また、固体撮像装置１０の内部情報などのデータを出力する。すなわち、制御回路２６は、垂直同期信号、水平同期信号、及び、マスタクロック信号に基づいて、垂直駆動回路２２、カラム信号処理回路２３、及び、水平駆動回路２４などの動作の基準となるクロック信号や制御信号を生成する。制御回路２６は、生成したクロック信号や制御信号を、垂直駆動回路２２、カラム信号処理回路２３、及び、水平駆動回路２４などに出力する。
【００２４】
入出力端子２７は、外部と信号のやりとりを行う。
【００２５】
以上のように構成される、図１の固体撮像装置１０は、CDS処理とA/D変換処理を行うカラム信号処理回路２３が画素列ごとに配置されたカラムＡＤ方式と呼ばれるCMOSイメージセンサとされる。また、図１の固体撮像装置１０は、裏面照射型のCMOSイメージセンサとすることができる。
【００２６】
＜２．第１の実施の形態＞
【００２７】
次に、第１の実施の形態における固体撮像装置１０の詳細構造について説明する。図２は、図１の固体撮像装置１０の一部を拡大したものであって、Ｇ有機光電変換膜とＲ，Ｇカラーフィルタが配置された画素３１の構造を示す断面図である。図２においては、画素アレイ部２１に２次元状に配列された複数の画素３１のうち、任意の行方向に配置された４つの画素３１−１乃至３１−４が例示されている。
【００２８】
画素３１−１乃至３１−４においては、半導体基板（シリコン基板）上に、フォトダイオード５６−１乃至５６−４及び電荷保持部５７−１乃至５７−４が形成され、シリコン（Ｓｉ）層５８−１乃至５８−４に埋め込まれている。また、半導体基板上には、Ｇ有機光電変換膜５２が積層され、さらに、レンズ５１−１乃至５１−４が形成されている。また、画素３１−１乃至３１−４のうち、画素３１−１には、光が入射する側に対して、Ｇ有機光電変換膜５２の下側にＲカラーフィルタ５５−１が形成され、画素３１−３には、光が入射する側に対して、Ｇ有機光電変換膜５２の下側にＢカラーフィルタ５５−３が形成されているが、画素３１−２と画素３１−４には、カラーフィルタが形成されていない。
【００２９】
画素３１−１においては、レンズ５１−１により集光された光が、Ｇ有機光電変換膜５２に入射される。Ｇ有機光電変換膜５２は、レンズ５１−１からの入射光のうち、緑（Ｇ）の成分の光を吸収して、緑（Ｇ）の成分の光に対応した信号電荷を生成する。Ｇ有機光電変換膜５２により生成された信号電荷は、画素ピッチに応じて配置されている透明電極５３−１により取り出され、電極５４−１を介して電荷保持部５７−１に保持される。
【００３０】
また、レンズ５１−１からの入射光のうち、Ｇ有機光電変換膜５２を透過した光は、Ｒカラーフィルタ５５−１に入射される。ここで、Ｇ有機光電変換膜５２を透過する光は、赤（Ｒ）の成分の光と、青（Ｂ）の成分の光となるので、Ｒカラーフィルタ５５−１によって、赤（Ｒ）の成分の光が透過され（青（Ｂ）の成分の光がカットされ）、フォトダイオード５６−１に入射される。フォトダイオード５６−１は、Ｒカラーフィルタ５５−１からの赤（Ｒ）の成分の光に対応した信号電荷を生成する。
【００３１】
すなわち、画素３１−１においては、緑（Ｇ）の成分の光と、赤（Ｒ）の成分の光に対応した信号電荷が生成される。
【００３２】
画素３１−２においては、レンズ５１−２により集光された光が、Ｇ有機光電変換膜５２に入射される。Ｇ有機光電変換膜５２は、レンズ５１−２からの入射光のうち、緑（Ｇ）の成分の光を吸収して、緑（Ｇ）の成分の光に対応した信号電荷を生成する。Ｇ有機光電変換膜５２により生成された信号電荷は、画素ピッチに応じて配置されている透明電極５３−２により取り出され、電極５４−２を介して電荷保持部５７−２に保持される。
【００３３】
ここで、画素３１−２には、カラーフィルタが形成されていないため、Ｇ有機光電変換膜５２を透過した光は、直接、フォトダイオード５６−２に入射される。また、Ｇ有機光電変換膜５２を透過する光は、赤（Ｒ）の成分の光と、青（Ｂ）の成分の光となるので、フォトダイオード５６−２では、赤（Ｒ）と青（Ｂ）の混色であるマゼンタ（Ｍｇ）の成分の光に対応した信号電荷が生成される。
【００３４】
すなわち、画素３１−２においては、緑（Ｇ）の成分の光と、マゼンタ（Ｍｇ）の成分の光に対応した信号電荷が生成される。
【００３５】
画素３１−３においては、レンズ５１−３により集光された光が、Ｇ有機光電変換膜５２に入射される。Ｇ有機光電変換膜５２は、レンズ５１−３からの入射光のうち、緑（Ｇ）の成分の光を吸収して、緑（Ｇ）の成分の光に対応した信号電荷を生成する。Ｇ有機光電変換膜５２により生成された信号電荷は、画素ピッチに応じて配置されている透明電極５３−３により取り出され、電極５４−３を介して電荷保持部５７−３に保持される。
【００３６】
また、レンズ５１−３からの入射光のうち、Ｇ有機光電変換膜５２を透過した光は、Ｂカラーフィルタ５５−３に入射される。ここで、Ｇ有機光電変換膜５２を透過する光は、赤（Ｒ）の成分の光と、青（Ｂ）の成分の光となるので、Ｂカラーフィルタ５５−３によって、青（Ｂ）の成分の光が透過され（赤（Ｒ）の成分の光がカットされ）、フォトダイオード５６−３に入射される。フォトダイオード５６−３は、Ｂカラーフィルタ５５−３からの青（Ｂ）の成分の光に対応した信号電荷を生成する。
【００３７】
すなわち、画素３１−３においては、緑（Ｇ）の成分の光と、青（Ｂ）の成分の光に対応した信号電荷が生成される。
【００３８】
画素３１−４においては、画素３１−２と同様に、カラーフィルタが形成されていないため、Ｇ有機光電変換膜５２は、レンズ５１−４からの入射光のうち、緑（Ｇ）の成分の光を吸収して、緑（Ｇ）の成分の光に対応した信号電荷を生成する。また、フォトダイオード５６−４は、Ｇ有機光電変換膜５２を透過した赤（Ｒ）の成分の光と、青（Ｂ）の成分の光との混色であるマゼンタ（Ｍｇ）の成分の光に対応した信号電荷を生成する。
【００３９】
すなわち、画素３１−４においては、緑（Ｇ）の成分の光と、マゼンタ（Ｍｇ）の成分の光に対応した信号電荷が生成される。
【００４０】
以上のようにして、画素３１−１乃至３１−４により生成された信号電荷は、複数の画素トランジスタからなる読み出し部により読み出されて、後段の信号処理部により処理されることで、画像データとして出力される。ここで、後段の信号処理部においては、画素３１−１からの出力に応じた緑（Ｇ）の成分と赤（Ｒ）の成分に対応した信号と、画素３１−３からの出力に応じた緑（Ｇ）の成分と青（Ｂ）の成分に対応した信号によるＲＧＢ信号が処理されることになる。
【００４１】
また、後段の信号処理部においては、画素３１−２からの出力によって、緑（Ｇ）の成分とマゼンタ（Ｍｇ）の成分に対応した信号が得られるので、それらの信号を合成（加算）することで、白（Ｗ）の成分に対応したＷ信号が処理されることになる。同様に、画素３１−４からの出力によって、緑（Ｇ）の成分とマゼンタ（Ｍｇ）の成分に対応した信号が得られるので、それらの信号を合成（加算）することで、白（Ｗ）の成分に対応したＷ信号が処理されることになる。
【００４２】
ここで、図３に示すように、第１の実施の形態における画素アレイ部２１においては、全ての画素３１に対して、Ｇ有機光電変換膜５２が形成される。また、Ｇ有機光電変換膜５２の下側に、Ｒカラーフィルタ５５−１と、Ｂカラーフィルタ５５−３が形成されるが、全ての画素３１に対して、Ｒカラーフィルタ５５−１又はＢカラーフィルタ５５−３が形成されるのではなく、カラーフィルタが形成されていない画素が存在している。
【００４３】
すなわち、第１の実施の形態における画素アレイ部２１において、複数の画素３１は、２×２画素を繰り返しの単位として配置され、各２×２画素には、Ｒカラーフィルタ５５−１が形成された画素（図２の画素３１−１）と、Ｂカラーフィルタ５５−３が形成された画素（図２の画素３１−３）とが対角に配置されるとともに、残った対角に、カラーフィルタが形成されていない画素（図２の画素３１−２，３１−４）がそれぞれ配置される。
【００４４】
そして、第１の実施の形態における画素アレイ部２１において、このような画素の配置からなる２×２画素が繰り返し配置されることで、Ｇ有機光電変換膜５２とＲカラーフィルタ５５−１が形成された画素（図２の画素３１−１）からの出力と、Ｇ有機光電変換膜５２とＢカラーフィルタ５５−３が形成された画素（図２の画素３１−３）からの出力に対して信号処理を施すことによって、ＲＧＢ信号が得られる。また、第１の実施の形態における画素アレイ部２１において、カラーフィルタが形成されていない２つの画素（図２の画素３１−２，３１−４）からの出力に対して信号処理を施すことによって、Ｗ信号が得られる。
【００４５】
換言すれば、２×２画素において、Ｒカラーフィルタ５５−１とＢカラーフィルタ５５−３が形成された画素から得られる緑（Ｇ）の成分に対応した信号は、デモザイク処理によって画像データに用いられることになる。また、２×２画素において、カラーフィルタが形成されていない画素から得られる緑（Ｇ）の成分に対応した信号は、信号処理によって、マゼンタ（Ｍｇ）の成分に対応した信号と合成（加算）され、輝度信号として用いられることになる。
【００４６】
このように、第１の実施の形態においては、画素アレイ部２１に配置される画素３１として、感度向上のための画素（図２の画素３１−２，３１−４）を配置することで、ＲＧＢ信号のほかに、Ｗ信号を得ることができる。そのため、固体撮像装置１０において、Ｇ有機光電変換膜５２を、フォトダイオード５６を有する半導体基板に積層させる構造を採用した場合に、Ｗ信号によって感度を高めつつ、高解像度化を実現することができる。
【００４７】
＜３．第２の実施の形態＞
【００４８】
次に、第２の実施の形態における固体撮像装置１０の詳細構造について説明する。図４は、図１の固体撮像装置１０の一部を拡大したものであって、Ｇ有機光電変換膜とＹｅ，Ｃｙカラーフィルタが配置された画素３１の構造を示す断面図である。図４においては、画素アレイ部２１に２次元状に配列された複数の画素３１のうち、任意の行方向に配置された４つの画素３１−１乃至３１−４が例示されている。
【００４９】
画素３１−１乃至３１−４においては、半導体基板（シリコン基板）上に、フォトダイオード５６−１乃至５６−４及び電荷保持部５７−１乃至５７−４が形成され、シリコン（Ｓｉ）層５８−１乃至５８−４に埋め込まれている。また、半導体基板上には、Ｇ有機光電変換膜５２が積層され、さらに、レンズ５１−１乃至５１−４が形成されている。また、画素３１−１乃至３１−４のうち、画素３１−１には、光が入射する側に対して、Ｇ有機光電変換膜５２の上側にＹｅカラーフィルタ６１−１が形成され、画素３１−３には、光が入射する側に対して、Ｇ有機光電変換膜５２の上側にＣｙカラーフィルタ６１−３が形成されているが、画素３１−２と画素３１−４には、カラーフィルタが形成されていない。
【００５０】
画素３１−１においては、レンズ５１−１により集光された光が、Ｙｅカラーフィルタ６１−１に入射される。ここで、Ｙｅカラーフィルタ６１−１を透過する光は、イエロー（Ｙｅ）の成分の光、すなわち、赤（Ｒ）と緑（Ｇ）とが混合された光となるので、Ｙｅカラーフィルタ６１−１によって、赤（Ｒ）と緑（Ｇ）とが混合された光が透過され、Ｇ有機光電変換膜５２に入射される。
【００５１】
Ｇ有機光電変換膜５２は、Ｙｅカラーフィルタ６１−１からの入射光のうち、緑（Ｇ）の成分の光を吸収して、緑（Ｇ）の成分の光に対応した信号電荷を生成する。Ｇ有機光電変換膜５２により生成された信号電荷は、画素ピッチに応じて配置されている透明電極５３−１により取り出され、電極５４−１を介して電荷保持部５７−１に保持される。
【００５２】
また、Ｇ有機光電変換膜５２を透過した光は、フォトダイオード５６−１に入射される。ここで、Ｇ有機光電変換膜５２を透過する光は、赤（Ｒ）の成分の光となるので、フォトダイオード５６−１は、Ｇ有機光電変換膜５２を透過した赤（Ｒ）の成分の光に対応した信号電荷を生成する。
【００５３】
すなわち、画素３１−１においては、緑（Ｇ）の成分の光と、赤（Ｒ）の成分の光に対応した信号電荷が生成される。
【００５４】
画素３１−２においては、レンズ５１−２により集光された光が、Ｇ有機光電変換膜５２に入射される。Ｇ有機光電変換膜５２は、レンズ５１−２からの入射光のうち、緑（Ｇ）の成分の光を吸収して、緑（Ｇ）の成分の光に対応した信号電荷を生成する。Ｇ有機光電変換膜５２により生成された信号電荷は、画素ピッチに応じて配置されている透明電極５３−２により取り出され、電極５４−２を介して電荷保持部５７−２に保持される。
【００５５】
ここで、画素３１−２には、カラーフィルタが形成されていないため、レンズ５１−２により集光された光は、直接、Ｇ有機光電変換膜５２に入射され、さらに、Ｇ有機光電変換膜５２を透過した光が、フォトダイオード５６−２に入射される。また、Ｇ有機光電変換膜５２を透過する光は、赤（Ｒ）の成分の光と、青（Ｂ）の成分の光となるので、フォトダイオード５６−２では、赤（Ｒ）と青（Ｂ）の混色であるマゼンタ（Ｍｇ）の成分の光に対応した信号電荷が生成される。
【００５６】
すなわち、画素３１−２においては、緑（Ｇ）の成分の光と、マゼンタ（Ｍｇ）の成分の光に対応した信号電荷が生成される。
【００５７】
画素３１−３においては、レンズ５１−３により集光された光が、Ｃｙカラーフィルタ６１−３に入射される。ここで、Ｃｙカラーフィルタ６１−３を透過する光は、シアン（Ｃｙ）の成分の光、すなわち、緑（Ｇ）と青（Ｂ）とが混合された光となるので、Ｃｙカラーフィルタ６１−３によって、緑（Ｇ）と青（Ｂ）とが混合された光がＧ有機光電変換膜５２に入射される。
【００５８】
Ｇ有機光電変換膜５２は、Ｃｙカラーフィルタ６１−３からの入射光のうち、緑（Ｇ）の成分の光を吸収して、緑（Ｇ）の成分の光に対応した信号電荷を生成する。Ｇ有機光電変換膜５２により生成された信号電荷は、画素ピッチに応じて配置されている透明電極５３−３により取り出され、電極５４−３を介して電荷保持部５７−３に保持される。
【００５９】
また、Ｇ有機光電変換膜５２を透過した光は、フォトダイオード５６−３に入射される。ここで、Ｇ有機光電変換膜５２を透過する光は、青（Ｂ）の成分の光となるので、フォトダイオード５６−３は、Ｇ有機光電変換膜５２を透過した青（Ｂ）の成分の光に対応した信号電荷を生成する。
【００６０】
すなわち、画素３１−３においては、緑（Ｇ）の成分の光と、青（Ｂ）の成分の光に対応した信号電荷が生成される。
【００６１】
画素３１−４においては、画素３１−２と同様に、カラーフィルタが形成されていないため、Ｇ有機光電変換膜５２は、レンズ５１−４からの入射光のうち、緑（Ｇ）の成分の光を吸収して、緑（Ｇ）の成分の光に対応した信号電荷を生成する。また、フォトダイオード５６−４は、Ｇ有機光電変換膜５２を透過した赤（Ｒ）の成分の光と、青（Ｂ）の成分の光との混色であるマゼンタ（Ｍｇ）の成分の光に対応した信号電荷を生成する。
【００６２】
すなわち、画素３１−４においては、緑（Ｇ）の成分の光と、マゼンタ（Ｍｇ）の成分の光に対応した信号電荷が生成される。
【００６３】
以上のようにして、画素３１−１乃至３１−４により生成された信号電荷は、複数の画素トランジスタからなる読み出し部により読み出されて、後段の信号処理部により処理されることで、画像データとして出力される。ここで、後段の信号処理部においては、画素３１−１からの出力に応じた緑（Ｇ）の成分と赤（Ｒ）の成分に対応した信号と、画素３１−３からの出力に応じた緑（Ｇ）の成分と青（Ｂ）の成分に対応した信号によるＲＧＢ信号が処理されることになる。
【００６４】
また、後段の信号処理部においては、画素３１−２からの出力によって、緑（Ｇ）の成分とマゼンタ（Ｍｇ）の成分に対応した信号が得られるので、それらの信号を合成（加算）することで、白（Ｗ）の成分に対応したＷ信号が処理されることになる。同様に、画素３１−４からの出力によって、緑（Ｇ）の成分とマゼンタ（Ｍｇ）の成分に対応した信号が得られるので、それらの信号を合成（加算）することで、白（Ｗ）の成分に対応したＷ信号が処理されることになる。
【００６５】
ここで、図５に示すように、第２の実施の形態における画素アレイ部２１においては、全ての画素３１に対して、Ｇ有機光電変換膜５２が形成される。また、Ｇ有機光電変換膜５２の上側に、Ｙｅカラーフィルタ６１−１と、Ｃｙカラーフィルタ６１−３が形成されるが、全ての画素３１に対して、Ｙｅカラーフィルタ６１−１又はＣｙカラーフィルタ６１−３が形成されるのではなく、カラーフィルタが形成されていない画素が存在している。
【００６６】
すなわち、第２の実施の形態における画素アレイ部２１において、複数の画素３１は、２×２画素を繰り返しの単位として配置され、各２×２画素には、Ｙｅカラーフィルタ６１−１が形成された画素（図４の画素３１−１）と、Ｃｙカラーフィルタ６１−３が形成された画素（図４の画素３１−３）とが対角に配置されるとともに、残った対角に、カラーフィルタが形成されていない画素（図４の画素３１−２，３１−４）がそれぞれ配置される。
【００６７】
そして、第２の実施の形態における画素アレイ部２１において、このような画素の配置からなる２×２画素が繰り返し配置されることで、Ｙｅカラーフィルタ６１−１とＧ有機光電変換膜５２が形成された画素（図４の画素３１−１）からの出力と、Ｃｙカラーフィルタ６１−３とＧ有機光電変換膜５２が形成された画素（図４の画素３１−３）からの出力に対して信号処理を施すことによって、ＲＧＢ信号が得られる。また、第２の実施の形態における画素アレイ部２１において、カラーフィルタが形成されていない２つの画素（図４の画素３１−２，３１−４）からの出力に対して信号処理を施すことによって、Ｗ信号が得られる。
【００６８】
換言すれば、２×２画素において、Ｙｅカラーフィルタ６１−１とＣｙカラーフィルタ６１−３が形成された画素から得られる緑（Ｇ）の成分に対応した信号は、デモザイク処理によって画像データに用いられることになる。また、２×２画素において、カラーフィルタが形成されていない画素から得られる緑（Ｇ）の成分に対応した信号は、信号処理によって、マゼンタ（Ｍｇ）の成分に対応した信号と合成（加算）され、輝度信号として用いられることになる。
【００６９】
このように、第２の実施の形態においては、画素アレイ部２１に配置される画素３１として、感度向上のための画素（図４の画素３１−２，３１−４）を配置することで、ＲＧＢ信号のほかに、Ｗ信号を得ることができる。そのため、固体撮像装置１０において、Ｇ有機光電変換膜５２を、フォトダイオード５６を有する半導体基板に積層させる構造を採用した場合に、Ｗ信号によって感度を高めつつ、高解像度化を実現することができる。
【００７０】
＜４．第３の実施の形態＞
【００７１】
次に、第３の実施の形態における固体撮像装置１０の詳細構造について説明する。上述した第１の実施の形態と、第２の実施の形態において、各画素３１では、シリコン（Ｓｉ）層５８に、フォトダイオード５６が埋め込まれるように形成されている。裏面照射型の固体撮像装置１０において、各画素３１では、このような埋め込み型のフォトダイオード構造を有することから、制御用の画素トランジスタのための領域を確保し、フォトダイオード５６に対して、配線層側に、画素トランジスタを積層することが可能となる。
【００７２】
＜５．第４の実施の形態＞
【００７３】
次に、第４の実施の形態における固体撮像装置１０の詳細構造について説明する。図６は、図１の固体撮像装置１０の一部を拡大したものであって、透明電極５３が分離された画素３１の構造を示す断面図である。
【００７４】
図６において、画素３１−１、画素３１−３、及び、画素３１−４は、図２の画素３１−１、画素３１−３、及び、画素３１−４と同様の構造を有しているが、画素３１−２の構造が、図２の画素３１−２の構造と異なっている。
【００７５】
すなわち、図６の画素３１−２においては、透明電極５３−２が、透明電極５３−２Ａと透明電極５３−２Ｂとに分離されている。透明電極５３−２Ａは、Ｇ有機光電変換膜５２により生成された、緑（Ｇ）の成分の光に対応した信号電荷を取り出して、電極５４−２Ａを介して電荷保持部５７−２Ａに保持させる。透明電極５３−２Ｂは、Ｇ有機光電変換膜５２により生成された、緑（Ｇ）の成分の光に対応した信号電荷を取り出して、電極５４−２Ｂを介して電荷保持部５７−２Ｂに保持させる。
【００７６】
ここで、図６の画素３１−２には、カラーフィルタが形成されていないため、Ｇ有機光電変換膜５２を透過した光は、直接、フォトダイオード５６−２に入射される。また、Ｇ有機光電変換膜５２を透過する光は、赤（Ｒ）の成分の光と、青（Ｂ）の成分の光となるので、フォトダイオード５６−２では、赤（Ｒ）と青（Ｂ）の混色であるマゼンタ（Ｍｇ）の成分の光に対応した信号電荷が生成される。
【００７７】
すなわち、図６の画素３１−２では、緑（Ｇ）の成分の光と、マゼンタ（Ｍｇ）の成分の光に対応した信号電荷が生成されるが、一対の透明電極５３−２Ａと透明電極５３−２Ｂのそれぞれにより、Ｇ有機光電変換膜５２により生成された信号電荷が取り出されるため、後段の信号処理部においては、それを位相差検出用信号として用いることで、像面位相差方式のオートフォーカスを実現することができる。換言すれば、画素３１−２は、位相差の検出機能を有する位相差検出用の画素（位相差検出用画素）であると言える。なお、同様にして、画素３１−４を、位相差検出用の画素（位相差検出用画素）として利用するようにしてもよい。
【００７８】
なお、図６においては、固体撮像装置１０の構造として、第１の実施の形態に対応した構造（基本構造１：Ｇ有機光電変換膜＋Ｒ，Ｇカラーフィルタ）を説明したが、同様に、第２の実施の形態に対応した構造（基本構造２：Ｇ有機光電変換膜＋Ｙｅ，Ｃｙカラーフィルタ）に適用することもできる。
【００７９】
＜６．第５の実施の形態＞
【００８０】
次に、第５の実施の形態における固体撮像装置１０の詳細構造について説明する。図７は、図１の固体撮像装置１０の一部を拡大したものであって、半導体基板を積層させた場合における画素３１の構造を示す断面図である。
【００８１】
図７においては、センサ回路を有する第１の半導体基板１１１と、ロジック回路を有する第２の半導体基板１１２と、メモリ回路を有する第３の半導体基板１１３とが、第１の半導体基板１１１を最上層として、第２の半導体基板１１２、第３の半導体基板１１３の順に３層に積層されている。
【００８２】
第１の半導体基板１１１のセンサ回路は、第１の実施の形態に対応した構造を有している。第２の半導体基板１１２のロジック回路は、画素アレイ部２１に２次元に配列された複数の画素３１の制御や、外部との通信の制御を行う信号処理に係る信号処理回路を含んでいる。また、第３の半導体基板１１３のメモリ回路は、一時的に信号を保持する回路である。
【００８３】
以上のような積層型構造を採用して、各半導体基板の機能に対応するように、各回路を適切に形成することが可能であるので、固体撮像装置１０を高機能化することを容易に実現することができる。例えば、第１の半導体基板１１１と、第２の半導体基板１１２と、第３の半導体基板１１３の各機能に対応するように、センサ回路と、ロジック回路と、メモリ回路を適切に形成して、画素アレイ部２１に２次元に配列された複数の画素３１を共有画素構造とすることで、処理を高速化することができる。この共有画素構造は、例えば、複数のフォトダイオード５６と、複数の転送トランジスタと、共有する１つのフローティングディフュージョンと、共有する１つずつの他の画素トランジスタとから構成される。
【００８４】
なお、図７においては、固体撮像装置１０の構造として、第１の実施の形態に対応した構造（基本構造１：Ｇ有機光電変換膜＋Ｒ，Ｇカラーフィルタ）を説明したが、同様に、第２の実施の形態に対応した構造（基本構造２：Ｇ有機光電変換膜＋Ｙｅ，Ｃｙカラーフィルタ）に適用することもできる。
【００８５】
以上のように、第１の実施の形態乃至第５の実施の形態においては、半導体基板にフォトダイオード５６を形成しつつ、その入射光側に、Ｇ有機光電変換膜５２を積層することで、緑（Ｇ）の成分の感度を向上させるとともに、画素特性を劣化させることなく、多画素化を図ることができる。
【００８６】
第１の実施の形態の場合には、Ｒカラーフィルタ５５−１又はＢカラーフィルタ５５−３が形成される画素（画素３１−１，３１−３）のほかに、カラーフィルタが形成されていない画素（画素３１−２，３１−４）を設けることで、緑（Ｇ）の成分とマゼンタ（Ｍｇ）の成分に対応した信号を合成（加算）することにより、白（Ｗ）の成分に対応したＷ信号を生成することが可能となる。これにより、感度を高めつつ、高解像度化を実現することができる。また、入射光のロスを削減することもできる。
【００８７】
また、第２の実施の形態の場合も同様に、Ｙｅカラーフィルタ６１−１又はＣｙカラーフィルタ６１−３が形成される画素（画素３１−１，３１−３）のほかに、カラーフィルタが形成されていない画素（画素３１−２，３１−４）を設けることで、緑（Ｇ）の成分とマゼンタ（Ｍｇ）の成分に対応した信号を合成（加算）することにより、白（Ｗ）の成分に対応したＷ信号を生成することが可能となる。これにより、感度を高めつつ、高解像度化を実現することができる。また、入射光のロスを削減することもできる。
【００８８】
＜７．カメラモジュールの構成＞
【００８９】
本技術は、固体撮像装置への適用に限られるものではない。すなわち、本技術は、固体撮像装置のほかに光学レンズ系等を有するカメラモジュール、デジタルスチルカメラやビデオカメラ等の撮像装置、撮像機能を有する携帯端末装置（例えばスマートフォンやタブレット型端末）、又は画像読取部に固体撮像装置を用いる複写機など、固体撮像装置を有する電子機器全般に対して適用可能である。
【００９０】
図８は、固体撮像装置を有するカメラモジュールの構成例を示す図である。
【００９１】
図８において、カメラモジュール２００は、光学レンズ系２１１、固体撮像装置２１２、入出力部２１３、DSP（Digital Signal Processor）回路２１４、及び、CPU２１５を１つに組み込んで、モジュールを構成している。
【００９２】
固体撮像装置２１２は、図１の固体撮像装置１０に対応しており、その構造として、例えば、図２の断面構造が採用されている。すなわち、固体撮像装置２１２においては、感度向上のための画素（例えば、図２の画素３１−２，３１−４）が配置されている。固体撮像装置２１２は、光学レンズ系２１１を介して被写体からの入射光（像光）を取り込んで、撮像面上に結像された入射光の光量を画素単位で電気信号に変換して画素信号として出力する。入出力部２１３は、外部との入出力のインターフェースとしての機能を有する。
【００９３】
DSP回路２１４は、固体撮像装置２１２から供給される信号を処理する信号処理回路である。例えば、この信号処理回路では、画素３１−１（図２）からの出力に応じた緑（Ｇ）の成分と赤（Ｒ）の成分に対応した信号と、画素３１−３（図２）からの出力に緑（Ｇ）の成分と青（Ｂ）の成分に対応した信号によるＲＧＢ信号が処理されることになる。
【００９４】
また、信号処理回路では、画素３１−２（図２）からの出力によって、緑（Ｇ）の成分とマゼンタ（Ｍｇ）の成分に対応した信号が得られるので、それらの信号を合成することで、Ｗ信号が得られることになる。同様に、画素３１−４（図２）からの出力によって、緑（Ｇ）の成分とマゼンタ（Ｍｇ）の成分に対応した信号が得られるので、それらの信号を合成することで、Ｗ信号が得られることになる。なお、上述した信号処理回路が行う処理が、固体撮像装置２１２により行われるようにしてもよい。
【００９５】
CPU２１５は、光学レンズ系２１１の制御や、入出力部２１３との間でデータのやりとりなどを行う。
【００９６】
また、カメラモジュール２０１としては、例えば、光学レンズ系２１１、固体撮像装置２１２、及び、入出力部２１３のみでモジュールが構成されるようにしてもよい。この場合、固体撮像装置２１２からの画素信号が入出力部２１３を介して出力される。さらに、カメラモジュール２０２としては、光学レンズ系２１１、固体撮像装置２１２、入出力部２１３、及び、DSP回路２１４によりモジュールが構成されるようにしてもよい。この場合、固体撮像装置２１２からの画素信号は、DSP回路２１４により処理され、入出力部２１３を介して出力される。
【００９７】
カメラモジュール２００，２０１，２０２は、以上のように構成される。カメラモジュール２００，２０１，２０２においては、感度向上のための画素（例えば、図２の画素３１−２，３１−４）が配置されている固体撮像装置２１２が設けられているため、ＲＧＢ信号のほかに、Ｗ信号を得ることができるので、このＷ信号によって感度を高めつつ、高解像度化を実現することができる。
【００９８】
＜８．電子機器の構成＞
【００９９】
図９は、固体撮像装置を有する電子機器の構成例を示す図である。
【０１００】
図９の電子機器３００は、例えば、デジタルスチルカメラやビデオカメラ等の撮像装置や、スマートフォンやタブレット型端末等の携帯端末装置などの電子機器である。
【０１０１】
図９において、電子機器３００は、固体撮像装置３０１、DSP回路３０２、フレームメモリ３０３、表示部３０４、記録部３０５、操作部３０６、及び、電源部３０７から構成される。また、電子機器３００において、DSP回路３０２、フレームメモリ３０３、表示部３０４、記録部３０５、操作部３０６、及び、電源部３０７は、バスライン３０８を介して相互に接続されている。
【０１０２】
固体撮像装置３０１は、図１の固体撮像装置１０に対応しており、その構造として、例えば、図２の断面構造が採用されている。すなわち、固体撮像装置２１２においては、感度向上のための画素（例えば、図２の画素３１−２，３１−４）が配置されている。固体撮像装置３０１は、光学レンズ系（不図示）を介して被写体からの入射光（像光）を取り込んで、撮像面上に結像された入射光の光量を画素単位で電気信号に変換して画素信号として出力する。
【０１０３】
DSP回路３０２は、固体撮像装置３０１から供給される信号を処理する信号処理回路であって、図８のDSP回路２１４に対応している。DSP回路３０２は、固体撮像装置３０１からの信号を処理して得られる画像データを出力する。フレームメモリ３０３は、DSP回路３０２により処理された画像データを、フレーム単位で一時的に保持する。
【０１０４】
表示部３０４は、例えば、液晶パネルや有機ＥＬ（Electro Luminescence）パネル等のパネル型表示装置からなり、固体撮像装置３０１で撮像された動画又は静止画を表示する。記録部３０５は、固体撮像装置３０１で撮像された動画又は静止画の画像データを、半導体メモリやハードディスク等の記録媒体に記録する。
【０１０５】
操作部３０６は、ユーザによる操作に従い、電子機器３００が有する各種の機能についての操作指令を出力する。電源部３０７は、DSP回路３０２、フレームメモリ３０３、表示部３０４、記録部３０５、及び、操作部３０６の動作電源となる各種の電源を、これら供給対象に対して適宜供給する。
【０１０６】
電子機器３００は、以上のように構成される。電子機器３００においては、感度向上のための画素（例えば、図２の画素３１−２，３１−４）が配置されている固体撮像装置２１２が設けられているため、ＲＧＢ信号のほかに、Ｗ信号を得ることができるので、このＷ信号によって感度を高めつつ、高解像度化を実現することができる。
【０１０７】
＜９．固体撮像装置の使用例＞
【０１０８】
図１０は、イメージセンサとしての固体撮像装置１０の使用例を示す図である。
【０１０９】
上述した固体撮像装置１０は、例えば、以下のように、可視光や、赤外光、紫外光、Ｘ線等の光をセンシングする様々なケースに使用することができる。すなわち、図１０に示すように、上述した、鑑賞の用に供される画像を撮影する鑑賞の分野だけでなく、例えば、交通の分野、家電の分野、医療・ヘルスケアの分野、セキュリティの分野、美容の分野、スポーツの分野、又は、農業の分野などにおいて用いられる装置でも、固体撮像装置１０を使用することができる。
【０１１０】
具体的には、上述したように、鑑賞の分野において、例えば、デジタルカメラやスマートフォン、カメラ機能付きの携帯電話機等の、鑑賞の用に供される画像を撮影するための装置（例えば図９の電子機器３００）で、固体撮像装置１０を使用することができる。
【０１１１】
交通の分野において、例えば、自動停止等の安全運転や、運転者の状態の認識等のために、自動車の前方や後方、周囲、車内等を撮影する車載用センサ、走行車両や道路を監視する監視カメラ、車両間等の測距を行う測距センサ等の、交通の用に供される装置で、固体撮像装置１０を使用することができる。
【０１１２】
家電の分野において、例えば、ユーザのジェスチャを撮影して、そのジェスチャに従った機器操作を行うために、テレビ受像機や冷蔵庫、エアーコンディショナ等の家電に供される装置で、固体撮像装置１０を使用することができる。また、医療・ヘルスケアの分野において、例えば、内視鏡や、赤外光の受光による血管撮影を行う装置等の、医療やヘルスケアの用に供される装置で、固体撮像装置１０を使用することができる。
【０１１３】
セキュリティの分野において、例えば、防犯用途の監視カメラや、人物認証用途のカメラ等の、セキュリティの用に供される装置で、固体撮像装置１０を使用することができる。また、美容の分野において、例えば、肌を撮影する肌測定器や、頭皮を撮影するマイクロスコープ等の、美容の用に供される装置で、固体撮像装置１０を使用することができる。
【０１１４】
スポーツの分野において、例えば、スポーツ用途等向けのアクションカメラやウェアラブルカメラ等の、スポーツの用に供される装置で、固体撮像装置１０を使用することができる。また、農業の分野において、例えば、畑や作物の状態を監視するためのカメラ等の、農業の用に供される装置で、固体撮像装置１０を使用することができる。
【０１１５】
なお、本技術の実施の形態は、上述した実施の形態に限定されるものではなく、本技術の要旨を逸脱しない範囲において種々の変更が可能である。例えば、上述した複数の実施の形態の全て又は一部を組み合わせた形態を採用することができる。
【０１１６】
また、本技術は、以下のような構成をとることができる。
【０１１７】
（１）
第１の色成分の光を吸収して信号電荷を生成する第１の光電変換部と、
入射光の光量に応じた信号電荷を生成するフォトダイオードからなる第２の光電変換部と
を有する複数の画素が２次元状に配列された画素アレイ部を備え、
前記画素アレイ部は、
前記第１の光電変換部により、前記第１の色成分の光の光電変換を行い、
前記第２の光電変換部により、第２の色成分の光を透過させる第１のカラーフィルタ及び前記第１の光電変換部を透過した第３の色成分の光の光電変換を行う
第１の画素と、
前記第１の光電変換部により、前記第１の色成分の光の光電変換を行い、
前記第２の光電変換部により、第４の色成分の光を透過させる第２のカラーフィルタ及び前記第１の光電変換部を透過した第５の色成分の光の光電変換を行う
第２の画素と、
前記第１の光電変換部により、前記第１の色成分の光の光電変換を行い、
前記第２の光電変換部により、前記第１の光電変換部を透過した第６の色成分の光の光電変換を行う
第３の画素と
の組み合わせからなる前記複数の画素が２次元状に配列されており、
前記第１の色成分と前記第６の色成分とを混合することで白（Ｗ）が得られる
固体撮像装置。
（２）
前記第１のカラーフィルタ及び前記第２のカラーフィルタは、光が入射する側に対して、前記第１の光電変換部の下側に配置されており、
前記第１の色成分は、緑（Ｇ）であり、
前記第２の色成分は、赤（Ｒ）であり、
前記第３の色成分は、赤（Ｒ）であり、
前記第４の色成分は、青（Ｂ）であり、
前記第５の色成分は、青（Ｂ）であり、
前記第６の色成分は、マゼンタ（Ｍｇ）である
（１）に記載の固体撮像装置。
（３）
前記画素アレイ部において、
前記複数の画素は、２×２画素を繰り返し単位として配置され、
前記２×２画素には、前記第１の画素と前記第２の画素とが対角に配置されるとともに、残った対角に、前記第３の画素がそれぞれ配置される
（２）に記載の固体撮像装置。
（４）
前記フォトダイオードは、埋め込み型のフォトダイオードとして形成され、
前記フォトダイオードに対して、配線層側に、制御用の画素トランジスタが形成される
（２）又は（３）に記載の固体撮像装置。
（５）
前記第３の画素は、前記第１の光電変換部により生成された信号電荷を取り出す透明電極が分離された構造からなる位相差検出用の画素として構成される
（２）乃至（４）のいずれかに記載の固体撮像装置。
（６）
前記第１の光電変換部及び前記第２の光電変換部を含むセンサ回路を有する第１の半導体基板と、
ロジック回路を有する第２の半導体基板と、
メモリ回路を有する第３の半導体基板と
が前記第１の半導体基板を最上層として、前記第２の半導体基板、前記第３の半導体基板の順に３層に積層されている
（２）乃至（５）のいずれかに記載の固体撮像装置。
（７）
前記第１のカラーフィルタ及び前記第２のカラーフィルタは、光が入射する側に対して、前記第１の光電変換部の上側に配置されており、
前記第１の色成分は、緑（Ｇ）であり、
前記第２の色成分は、イエロー（Ｙｅ）であり、
前記第３の色成分は、赤（Ｒ）であり、
前記第４の色成分は、シアン（Ｃｙ）であり、
前記第５の色成分は、青（Ｂ）であり、
前記第６の色成分は、マゼンタ（Ｍｇ）である
（１）に記載の固体撮像装置。
（８）
前記画素アレイ部において、
前記複数の画素は、２×２画素を繰り返し単位として配置され、
前記２×２画素には、前記第１の画素と前記第２の画素とが対角に配置されるとともに、残った対角に、前記第３の画素がそれぞれ配置される
（７）に記載の固体撮像装置。
（９）
前記フォトダイオードは、埋め込み型のフォトダイオードとして形成され、
前記フォトダイオードに対して、配線層側に、制御用の画素トランジスタが形成される
（７）又は（８）に記載の固体撮像装置。
（１０）
前記第３の画素は、前記第１の光電変換部により生成された信号電荷を取り出す透明電極が分離された構造からなる位相差検出用の画素として構成される
（７）乃至（９）のいずれかに記載の固体撮像装置。
（１１）
前記第１の光電変換部及び前記第２の光電変換部を含むセンサ回路を有する第１の半導体基板と、
ロジック回路を有する第２の半導体基板と、
メモリ回路を有する第３の半導体基板と
が前記第１の半導体基板を最上層として、前記第２の半導体基板、前記第３の半導体基板の順に３層に積層されている
（７）乃至（１０）のいずれかに記載の固体撮像装置。
（１２）
第１の色成分の光を吸収して信号電荷を生成する第１の光電変換部と、
入射光の光量に応じた信号電荷を生成するフォトダイオードからなる第２の光電変換部と
を有する複数の画素が２次元状に配列された画素アレイ部を有し、
前記画素アレイ部は、
前記第１の光電変換部により、前記第１の色成分の光の光電変換を行い、
前記第２の光電変換部により、第２の色成分の光を透過させる第１のカラーフィルタ及び前記第１の光電変換部を透過した第３の色成分の光の光電変換を行う
第１の画素と、
前記第１の光電変換部により、前記第１の色成分の光の光電変換を行い、
前記第２の光電変換部により、第４の色成分の光を透過させる第２のカラーフィルタ及び前記第１の光電変換部を透過した第５の色成分の光の光電変換を行う
第２の画素と、
前記第１の光電変換部により、前記第１の色成分の光の光電変換を行い、
前記第２の光電変換部により、前記第１の光電変換部を透過した第６の色成分の光の光電変換を行う
第３の画素と
の組み合わせからなる前記複数の画素が２次元状に配列されており、
前記第１の色成分と前記第６の色成分とを混合することで白（Ｗ）が得られる
固体撮像装置を備える
電子機器。
【符号の説明】
【０１１８】
１０  固体撮像装置，  ２１  画素アレイ部，  ３１  画素，  ２３  カラム信号処理回路，  ２６  制御回路，  ５１  レンズ，  ５２  Ｇ有機光電変換膜，  ５３  透明電極，  ５４  電極，  ５５−１  Ｒカラーフィルタ，  ５５−３  Ｂカラーフィルタ，  ５６  フォトダイオード，  ５７  電荷保持部，  ５８  シリコン層，  ６１−１  Ｙｅカラーフィルタ，  ６１−３  Ｃｙカラーフィルタ，  １１１  第１の半導体基板，  １１２  第２の半導体基板，  １１３  第３の半導体基板，  ２００，２０１，２０２  カメラモジュール，  ２１２  固体撮像装置，  ３００  電子機器，  ３０１  固体撮像装置
【図１】
2016134587.tif 000003
【図２】
2016134587.tif 000004
【図３】
2016134587.tif 000005
【図４】
2016134587.tif 000006
【図５】
2016134587.tif 000007
【図６】
2016134587.tif 000008
【図７】
2016134587.tif 000009
【図８】
2016134587.tif 000010
【図９】
2016134587.tif 000011
【図１０】
2016134587.tif 000012